(57)【特許請求の範囲】
【請求項１】
一般式（１）（化１）で表されるサリチル酸誘導体のアルカリ金属塩と多価金属化合物とを、水、および、水に実質的に不溶性で且つ生成したサリチル酸誘導体の多価金属塩の溶解度が２５℃で５重量％以下である炭化水素系溶媒および／またはハロゲン化炭化水素系溶媒の存在下で、作用させることを特徴とする一般式（１）で表されるサリチル酸誘導体の多価金属塩の製造方法。
【化１】
0003998271.tif 000005
（式中、Ｘ１ 、Ｘ２ はそれぞれ、水素原子、アルキル基、アルコキシ基、アラルキル基、アリール基またはハロゲン原子を表し、Ｙ１ 、Ｙ２ はそれぞれ、酸素原子または硫黄原子を表し、Ｒ１ は水素原子、アルキル基、アラルキル基またはアリール基を表し、Ｒ２ はアルキル基、アルケニル基、アラルキル基またはアリール基を表す）
【発明の詳細な説明】
【０００１】
【産業上の利用分野】
本発明はサリチル酸誘導体の多価金属塩の製造方法に関する。
【０００２】
【従来の技術】
従来より、電子供与性発色性化合物と電子受容性化合物（顕色剤）との呈色反応を利用した感熱記録材料はよく知られている（例えば、特公昭４３−４１６０号公報、特公昭４５−１４０３９号公報）。感熱記録材料は比較的安価であり、また、記録機器がコンパクトで、且つ、メンテナンスフリーであるという利点があり、ファクシミリ、記録計、プリンター分野において幅広く利用されている。最近では、感熱記録材料の利用分野はさらに広がり、且つ、多様化しており、さらに過酷な環境下での用途（例えば、ラベル、プリペイドカード等）へと広がっている。しかし、従来より公知の、２，２−ビス（4'−ヒドロキシフェニル）プロパン〔”ビスフェノールＡ”〕、４−ヒドロキシ安息香酸ベンジルエステルなどを電子受容性化合物とする感熱記録材料は、過酷な環境下（例えば、油、溶剤、油脂、蛍光ペン等の筆記具等との接触下あるいは多湿環境下）では、その未発色部が著しく汚染（地汚れ）されたり、また、発色画像が褪色したりする等の欠点がある。
【０００３】
このような欠点を改良するものとして、本発明者等は、カルバメート基で置換されたサリチル酸誘導体または該誘導体の金属塩（特に多価金属塩）を電子受容性化合物として用いることにより、未発色部および発色画像の保存安定性（例えば、耐油性、耐湿熱性、耐筆記具性）に優れた感熱記録材料が得られることを見出した（特開平６−７２９８４号公報）。このカルバメート置換されたサリチル酸誘導体の多価金属塩（例えば、亜鉛塩）は、対応するサリチル酸誘導体のアルカリ金属塩（例えば、ナトリウム塩）の水溶液に、水可溶性の多価金属化合物（例えば、硫酸亜鉛）を作用させる、いわゆる、複分解法により製造することができる。しかし、この方法では、生成したサリチル酸誘導体の多価金属塩を濾過により分離、単離する際に、しばしば、濾過性が悪く、濾過工程に長時間を要し、作業効率、生産効率等の低下を招いていた。
現在では、一層効率良く、短時間でカルバメート置換されたサリチル酸誘導体の多価金属塩を製造、分離、単離できる方法が強く望まれている。
【０００４】
【発明が解決しようとする課題】
本発明の課題は、記録材料（例えば、感熱記録材料、感圧記録材料）用の電子受容性化合物として有用なサリチル酸誘導体の多価金属塩の簡便で、且つ効率的な製造方法を提供することである。
【０００５】
【課題を解決するための手段】
本発明者等は、上述の要望にこたえるべく、サリチル酸誘導体の製造方法に関し鋭意検討した結果、本発明を完成するに至った。すなわち、本発明は、一般式（１）（化２）で表されるサリチル酸誘導体のアルカリ金属塩と多価金属化合物とを、水、および、水に実質的に不溶性で且つ生成したサリチル酸誘導体の多価金属塩の溶解度が２５℃で５重量％以下である有機溶媒の存在下で、作用させる一般式（１）で表されるサリチル酸誘導体の多価金属塩の製造方法に関するものである。
【０００６】
【化２】
0003998271.tif 000002
（式中、Ｘ1 、Ｘ2 はそれぞれ、水素原子、アルキル基、アルコキシ基、アラルキル基、アリール基またはハロゲン原子を表し、Ｙ1 、Ｙ2 はそれぞれ、酸素原子または硫黄原子を表し、Ｒ1 は水素原子、アルキル基、アラルキル基またはアリール基を表し、Ｒ2 はアルキル基、アルケニル基、アラルキル基またはアリール基を表す）
【０００７】
本発明に係る一般式（１）で表されるサリチル酸誘導体において、Ｘ1 およびＸ2 は水素原子、アルキル基、アルコキシ基、アラルキル基、アリール基またはハロゲン原子を表し、好ましくは、水素原子、炭素数１〜２０の鎖状アルキル基、炭素数５〜１４の環状アルキル基、炭素数１〜２０のアルコキシ基、炭素数７〜２０のアラルキル基、フェニル基、フッ素原子、塩素原子または臭素原子であり、より好ましくは、水素原子、炭素数１〜４の鎖状アルキル基、シクロヘキシル基、炭素数１〜４のアルコキシ基、ベンジル基、α−メチルベンジル基、クミル基、フェニル基または塩素原子であり、特に水素原子は好ましい。
一般式（１）において、Ｙ1 およびＹ2 は酸素原子または硫黄原子を表し、好ましくは、Ｙ1 は酸素原子であり、より好ましくは、Ｙ1 およびＹ2 は酸素原子である。
【０００８】
一般式（１）で表されるサリチル酸誘導体において、Ｒ1 は水素原子、アルキル基、アラルキル基またはアリール基を表し、好ましくは、水素原子、炭素数１〜２０の鎖状アルキル基、炭素数５〜１４の環状アルキル基、炭素数７〜２０のアラルキル基または炭素数６〜２０のアリール基であり、より好ましくは、水素原子、炭素数１〜８の鎖状アルキル基、シクロペンチル基、シクロヘキシル基、シクロヘプチル基、ベンジル基またはフェニル基であり、さらに好ましくは、水素原子、炭素数１〜４の鎖状アルキル基またはフェニル基であり、特に好ましくは、水素原子である。
一般式（１）で表されるサリチル酸誘導体において、Ｒ2 はアルキル基、アルケニル基、アラルキル基またはアリール基を表し、好ましくは、置換基を有していてもよい鎖状アルキル基、置換基を有していてもよい環状アルキル基、置換基を有していてもよい鎖状アルケニル基、置換基を有していてもよい環状アルケニル基、置換基を有していてもよいアラルキル基、置換基を有していてもよいフェニル基、置換基を有していてもよいナフチル基または置換基を有していてもよい複素芳香環基である。
【０００９】
Ｒ2 のアルキル基およびアルケニル基は置換基を有していてもよく、例えば、炭素数１〜２０のアルコキシ基、炭素数２〜２０のアルコキシアルキルオキシ基、炭素数２〜２０のアルケニルオキシ基、炭素数７〜２０のアラルキルオキシ基、炭素数８〜２０のアラルキルオキシアルコキシ基、炭素数６〜２０のアリールオキシ基、炭素数７〜２０のアリールオキシアルコキシ基、炭素数８〜２０のアリールアルケニル基、炭素数９〜２０のアラルキルアルケニル基、炭素数１〜２０のアルキルチオ基、炭素数２〜２０のアルコキシアルキルチオ基、炭素数２〜２０のアルキルチオアルキルチオ基、炭素数２〜２０のアルケニルチオ基、炭素数７〜２０のアラルキルチオ基、炭素数８〜２０のアラルキルオキシアルキルチオ基、炭素数８〜２０のアラルキルチオアルキルチオ基、炭素数６〜２０のアリールチオ基、炭素数７〜２０のアリールオキシアルキルチオ基、炭素数７〜２０のアリールチオアルキルチオ基、ヘテロ原子含有の環状アルキル基、ハロゲン原子などの置換基で単置換あるいは多置換されていてもよい。
さらに、これらの置換基に含まれるアリール基は、さらに炭素数１〜６のアルキル基、炭素数１〜６のアルコキシ基、炭素数１〜６のアルキルチオ基、炭素数７〜１０のアラルキル基、炭素数７〜１０のアラルキルオキシ基、水酸基、ハロゲン原子などで置換されていてもよい。
【００１０】
また、Ｒ2 のアラルキル基およびアリール基中のアリール基は置換基を有していてもよく、例えば、炭素数１〜２０のアルキル基、炭素数２〜２０のアルケニル基、炭素数７〜２０のアラルキル基、炭素数６〜２０のアリール基、炭素数１〜２０のアルコキシ基、炭素数２〜２０のアルコキシアルキル基、炭素数２〜２０のアルコキシアルキルオキシ基、炭素数２〜２０のアルケニルオキシ基、炭素数３〜２０のアルケニルオキシアルキル基、炭素数３〜２０のアルケニルオキシアルキルオキシ基、炭素数７〜２０のアラルキルオキシ基、炭素数８〜２０のアラルキルオキシアルキル基、炭素数８〜２０のアラルキルオキシアルキルオキシ基、炭素数６〜２０のアリールオキシ基、炭素数７〜２０のアリールオキシアルキル基、炭素数７〜２０のアリールオキシアルキルオキシ基、炭素数２〜２０のアルキルカルボニル基、炭素数３〜２０のアルケニルカルボニル基、炭素数８〜２０のアラルキルカルボニル基、炭素数７〜２０のアリールカルボニル基、炭素数２〜２０のアルコキシカルボニル基、炭素数３〜２０のアルケニルオキシカルボニル基、炭素数８〜２０のアラルキルオキシカルボニル基、炭素数７〜２０のアリールオキシカルボニル基、炭素数２〜２０のアルキルカルボニルオキシ基、炭素数３〜２０のアルケニルカルボニルオキシ基、炭素数８〜２０のアラルキルカルボニルオキシ基、炭素数７〜２０のアリールカルボニルオキシ基、炭素数１４〜２０のアラルキルオキシアラルキル基、炭素数１〜２０のアルキルチオ基、炭素数７〜２０のアラルキルチオ基、炭素数６〜２０のアリールチオ基、ニトロ基、ホルミル基、水酸基、シアノ基、ハロゲン原子などの置換基で単置換あるいは多置換されていてもよい。
【００１１】
さらに、これらの置換基に含まれるアリール基は、炭素数１〜６のアルキル基、炭素数１〜６のアルコキシ基、炭素数１〜６のアルキルチオ基、炭素数７〜１０のアラルキル基、炭素数７〜１０のアラルキルオキシ基、水酸基、ハロゲン原子などで置換されていてもよい。
好ましくは、Ｒ2 は置換基を有していてもよい総炭素数１〜２４のアルキル基、置換基を有していてもよい総炭素数２〜２４のアルケニル基、置換基を有していてもよい総炭素数７〜２４のアラルキル基または置換基を有していてもよい総炭素数６〜２４のアリール基であり、特に好ましくは、置換基を有していてもよい総炭素数１〜１６のアルキル基、置換基を有していてもよい総炭素数７〜１６のアラルキル基または置換基を有していてもよい総炭素数６〜１６のアリール基である。
【００１２】
Ｒ2 の具体例としては、例えば、メチル基、エチル基、ｎ−プロピル基、イソプロピル基、ｎ−ブチル基、イソブチル基、sec-ブチル基、tert−ブチル基、ｎ−ペンチル基、イソペンチル基、ｎ−ヘキシル基、１−メチルペンチル基、４−メチル−２−ペンチル基、２−エチルブチル基、ｎ−ヘプチル基、１−メチルヘキシル基、ｎ−オクチル基、１−メチルヘプチル基、２−エチルヘキシル基、ｎ−ノニル基、２，６−ジメチル−４−ヘプチル基、３，５，５−トリメチルヘキシル基、ｎ−デシル基、１−エチルオクチル基、ｎ−ウンデシル基、１−メチルデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、シクロペンチル基、シクロヘキシル基、４−メチルシクロヘキシル基、３−メチルシクロヘキシル基、２−メチルシクロヘキシル基、２，５−ジメチルシクロヘキシル基、２，６−ジメチルシクロヘキシル基、３，４−ジメチルシクロヘキシル基、３，５−ジメチルシクロヘキシル基、３，３，５−トリメチルシクロヘキシル基、４−tert−ブチルシクロヘキシル基、３−tert−ブチルシクロヘキシル基、４−フェニルシクロヘキシル基、２−フェニルシクロヘキシル基、シクロヘプチル基、シクロオクチル基、シクロヘキシルメチル基、２−シクロヘキシルエチル基、ボルネル基、イソボルネル基、２−ノルボルナンメチル基、１−アダマンチルメチル基、
【００１３】
ビニル基、アリル基、２−ブテニル基、３−ブテニル基、１−メチル−４−ペンテニル基、２−ペンテニル基、４−ペンテニル基、１−メチル−２−ブテニル基、２−ヘキセニル基、３−ヘキセニル基、４−ヘキセニル基、５−ヘキセニル基、２−ヘプテニル基、１−ビニルヘキシル基、３−ノネニル基、６−ノネニル基、９−デセニル基、１０−ウンデセニル基、１−シクロヘキセニル基、
２−メトキシエチル基、２−エトキシエチル基、２−イソプロポキシエチル基、２−ｎ−ブトキシエチル基、２−ｎ−ペンチルオキシエチル基、２−ｎ−ヘキシルオキシエチル基、２−ｎ−ヘプチルオキシエチル基、２−ｎ−オクチルオキシエチル基、２−ｎ−デシルオキシエチル基、２−ｎ−ドデシルオキシエチル基、２−シクロヘキシルオキシエチル基、３−メトキシプロピル基、３−エトキシプロピル基、３−ｎ−プロポキシプロピル基、３−ｎ−ブトキシプロピル基、３−ｎ−ヘキシルオキシプロピル基、３−ｎ−オクチルオキシプロピル基、３−シクロヘキシルオキシプロピル基、４−エトキシブチル基、５−メトキシペンチル基、６−エトキシヘキシル基、２−メトキシエトキシエチル基、２−エトキシエトキシエチル基、２−ｎ−ブトキシエトキシエチル基、３−エトキシエトキシプロピル基、
【００１４】
２−アリルオキシエチル基、２−（４’−ペンテニル）オキシエチル基、３−アリルオキシプロピル基、４−アリルオキシブチル基、
２−ベンジルオキシエチル基、２−フェネチルオキシエチル基、２−（４’−メチルベンジルオキシ）エチル基、２−（４’−クロロベンジルオキシ）エチル基、３−ベンジルオキシプロピル基、４−ベンジルオキシブチル基、２−ベンジルオキシメトキシエチル基、２−（４’−メチルベンジル）オキシメトキシエチル基、フェノキシメチル基、２−フェノキシエチル基、２−（４’−クロロフェニルオキシ）エチル基、２−（４’−メチルフェニルオキシ）エチル基、２−（４’−メトキシフェニルオキシ）エチル基、３−フェノキシプロピル基、４−フェノキシブチル基、６−（２’−クロロフェニルオキシ）ヘキシル基、２−フェノキシエトキシエチル基、２−（１’−ナフチルオキシ）エチル基、２−（２’−ナフチルオキシ）エチル基、３−（２’−ナフチルオキシ）プロピル基、
シンナミル基、
【００１５】
２−メチルチオエチル基、２−エチルチオエチル基、２−ｎ−ブチルチオエチル基、２−ｎ−ヘキシルチオエチル基、２−ｎ−オクチルチオエチル基、２−ｎ−デシルチオエチル基、３−メチルチオプロピル基、３−エチルチオプロピル基、３−ｎ−ブチルチオプロピル基、４−エチルチオブチル基、４−ｎ−プロピルチオブチル基、４−ｎ−ブチルチオブチル基、５−エチルチオペンチル基、６−メチルチオヘキシル基、６−エチルチオヘキシル基、６−ｎ−ブチルチオヘキシル基、８−メチルチオオクチル基、２−メトキシエチルチオエチル基、２−エチルチオエチルチオエチル基、２−アリルチオエチル基、２−ベンジルチオエチル基、３−（４’−メチルベンジルチオ）プロピル基、４−ベンジルチオブチル基、２−ベンジルオキシエチルチオエチル基、３−ベンジルチオプロピルチオプロピル基、２−フェニルチオエチル基、２−（４’−メトキシフェニルチオ）エチル基、２−フェノキシエチルチオエチル基、３−（２’−クロロフェニルチオ）エチルチオプロピル基、
２−テトラヒドロフルフリル基、
【００１６】
２−クロロエチル基、３−クロロプロピル基、２，２，２−トリクロロエチル基、７−クロロヘプチル基、８−クロロオクチル基、８−フルオロオクチル基、
ベンジル基、α−メチルベンジル基、α−エチルベンジル基、フェネチル基、α−メチルフェネチル基、α，α−ジメチルフェネチル基、４−メチルフェネチル基、４−メチルベンジル基、３−メチルベンジル基、２−メチルベンジル基、４−イソプロピルベンジル基、４−アリルベンジル基、４−ベンジルベンジル基、４−フェネチルベンジル基、４−フェニルベンジル基、４−（４’−メチルフェニル）ベンジル基、４−メトキシベンジル基、４−ｎ−ブトキシベンジル基、３，４−ジメトキシベンジル基、４−メトキシメチルベンジル基、４−アリルオキシベンジル基、４−ビニルオキシメチルベンジル基、４−ベンジルオキシベンジル基、４−フェネチルオキシベンジル基、４−フェノキシベンジル基、３−フェノキシベンジル基、４−ヒドロキシベンジル基、３−ヒドロキシベンジル基、２−ヒドロキシベンジル基、４−ヒドロキシ−３−メトキシベンジル基、４−クロロベンジル基、３−クロロベンジル基、２−クロロベンジル基、２−フルフリル基、ジフェニルメチル基、１−ナフチルメチル基、２−ナフチルメチル基、
【００１７】
フェニル基、１−ナフチル基、２−ナフチル基、３−フリール基、３−チエニル基、４−メチルフェニル基、３−メチルフェニル基、２−メチルフェニル基、４−エチルフェニル基、３−エチルフェニル基、２−エチルフェニル基、４−ｎ−プロピルフェニル基、４−イソプロピルフェニル基、４−ｎ−ブチルフェニル基、４−sec −ブチルフェニル基、４−tert−ブチルフェニル基、４−ｎ−ペンチルフェニル基、４−イソペンチルフェニル基、４−ｎ−ヘキシルフェニル基、４−ｎ−ヘプチルフェニル基、４−ｎ−オクチルフェニル基、４−tert−オクチルフェニル基、４−ｎ−デシルフェニル基、４−ｎ−ドデシルフェニル基、４−シクロペンチルフェニル基、４−シクロヘキシルフェニル基、３−シクロヘキシルフェニル基、２−シクロヘキシルフェニル基、４−アリルフェニル基、２−アリルフェニル基、４−ベンジルフェニル基、２−ベンジルフェニル基、４−クミルフェニル基、４−（４’−メトキシクミル）フェニル基、４−（４’−ベンジルオキシ）クミルフェニル基、４−（４’−クロロベンジル）フェニル基、４−フェニルフェニル基、３−フェニルフェニル基、２−フェニルフェニル基、
【００１８】
４−（４’−メトキシフェニル）フェニル基、４−（４’−ｎ−ブトキシフェニル）フェニル基、２−（２’−メトキシフェニル）フェニル基、４−（４’−クロロフェニル）フェニル基、４−メトキシフェニル基、３−メトキシフェニル基、２−メトキシフェニル基、４−エトキシフェニル基、２−エトキシフェニル基、３−ｎ−プロポキシフェニル基、４−イソプロポキシフェニル基、４−ｎ−ブトキシフェニル基、４−イソブトキシフェニル基、４−ｎ−ペンチルオキシフェニル基、４−イソペンチルオキシフェニル基、４−ｎ−ヘキシルオキシフェニル基、４−ｎ−オクチルオキシフェニル基、４−ｎ−デシルオキシフェニル基、４−ｎ−ドデシルオキシフェニル基、４−シクロヘキシルオキシフェニル基、４−エチル−１−ナフチル基、６−ｎ−ブチル−２−ナフチル基、２−メトキシ−１−ナフチル基、４−メトキシ−１−ナフチル基、４−ｎ−ブトキシ−１−ナフチル基、５−エトキシ−１−ナフチル基、６−エトキシ−２−ナフチル基、６−ｎ−ブトキシ−２−ナフチル基、６−ｎ−ヘキシルオキシ−２−ナフチル基、７−メトキシ−２−ナフチル基、７−ｎ−ブトキシ−２−ナフチル基、
【００１９】
４−メトキシメチルフェニル基、４−エトキシメチルフェニル基、４−ｎ−ブトキシメチルフェニル基、３−メトキシメチルフェニル基、４−（２’−メトキシエチル）フェニル基、４−（２’−エトキシエチルオキシ）フェニル基、４−（２’−ｎ−ブトキシエチルオキシ）フェニル基、４−（３’−エトキシプロピルオキシ）フェニル基、４−ビニルオキシフェニル基、４−アリルオキシフェニル基、３−アリルオキシフェニル基、４−（４’−ペンテニルオキシ）フェニル基、４−アリルオキシ−１−ナフチル基、４−アリルオキシメチルフェニル基、４−（２’−アリルオキシエチルオキシ）フェニル基、４−ベンジルオキシフェニル基、２−ベンジルオキシフェニル基、４−フェネチルオキシフェニル基、４−（４’−クロロベンジルオキシ）フェニル基、４−（４’−メチルベンジルオキシ）フェニル基、４−（４’−メトキシベンジルオキシ）フェニル基、４−（３’−エトキシベンジルオキシ）フェニル基、４−ベンジルオキシ−１−ナフチル基、５−（４’−メチルベンジルオキシ）−１−ナフチル基、６−ベンジルオキシ−２−ナフチル基、６−（４’−メチルベンジルオキシ）−２−ナフチル基、７−ベンジルオキシ−２−ナフチル基、
【００２０】
４−（ベンジルオキシメチル）フェニル基、４−（2'−ベンジルオキシエチルオキシ）フェニル基、４−フェノキシフェニル基、３−フェノキシフェニル基、２−フェノキシフェニル基、４−（４’−メチルフェノキシ）フェニル基、４−（４’−メトキシフェノキシ）フェニル基、４−（４’−クロロフェノキシ）フェニル基、４−フェノキシ−１−ナフチル基、６−フェノキシ−２−ナフチル基、４−フェノキシメチルフェニル基、４−（２’−フェノキシエチルオキシ）フェニル基、４−〔２’−（４’−メチルフェニル）オキシエチルオキシ〕フェニル基、４−〔２’−（４’−メトキシフェニル）オキシエチルオキシ〕フェニル基、４−〔２’−（４’−クロロフェニル）オキシエチルオキシ〕フェニル基、４−アセチルフェニル基、３−アセチルフェニル基、２−アセチルフェニル基、４−エチルカルボニルフェニル基、４−ｎ−ブチルカルボニルフェニル基、４−ｎ−ヘキシルカルボニルフェニル基、４−ｎ−オクチルカルボニルフェニル基、４−シクロヘキシルカルボニルフェニル基、４−アセチル−１−ナフチル基、６−アセチル−２−ナフチル基、６−ｎ−ブチルカルボニル−２−ナフチル基、４−アリルカルボニルフェニル基、４−ベンジルカルボニルフェニル基、４−（４’−メチルベンジル）カルボニルフェニル基、４−フェニルカルボニルフェニル基、４−（４’−メチルフェニル）カルボニルフェニル基、４−（４’−クロロフェニル）カルボニルフェニル基、４−フェニルカルボニル−１−ナフチル基、
【００２１】
４−メトキシカルボニルフェニル基、２−メトキシカルボニルフェニル基、４−エトキシカルボニルフェニル基、３−エトキシカルボニルフェニル基、４−ｎ−プロポキシカルボニルフェニル基、４−ｎ−ブトキシカルボニルフェニル基、４−ｎ−ヘキシルオキシカルボニルフェニル基、４−ｎ−デシルオキシカルボニルフェニル基、４−シクロヘキシルオキシカルボニルフェニル基、４−エトキシカルボニル−１−ナフチル基、６−メトキシカルボニル−２−ナフチル基、６−ｎ−ブトキシカルボニル−２−ナフチル基、４−アリルオキシカルボニルフェニル基、４−ベンジルオキシカルボニルフェニル基、４−（４’−クロロベンジル）オキシカルボニルフェニル基、４−フェネチルオキシカルボニルフェニル基、６−ベンジルオキシカルボニル−２−ナフチル基、４−フェニルオキシカルボニルフェニル基、４−（４’−エチルフェニル）オキシカルボニルフェニル基、４−（４’−クロロフェニル）オキシカルボニルフェニル基、４−（４’−エトキシフェニル）オキシカルボニルフェニル基、６−フェニルオキシカルボニル−２−ナフチル基、
【００２２】
４−アセチルオキシフェニル基、３−アセチルオキシフェニル基、４−エチルカルボニルオキシフェニル基、２−エチルカルボニルオキシフェニル基、４−ｎ−プロピルカルボニルオキシフェニル基、４−ｎ−ペンチルカルボニルオキシフェニル基、４−ｎ−オクチルカルボニルオキシフェニル基、４−シクロヘキシルカルボニルオキシフェニル基、４−アセチルオキシ−１−ナフチル基、４−ｎ−ブチルカルボニルオキシ−１−ナフチル基、５−アセチルオキシ−１−ナフチル基、６−エチルカルボニルオキシ−２−ナフチル基、７−アセチルオキシ−２−ナフチル基、４−アリルカルボニルオキシフェニル基、４−ベンジルカルボニルオキシフェニル基、４−フェネチルカルボニルオキシフェニル基、６−ベンジルカルボニルオキシ−２−ナフチル基、４−フェニルカルボニルオキシフェニル基、４−（４’−メチルフェニル）カルボニルオキシフェニル基、４−（２’−メチルフェニル）カルボニルオキシフェニル基、４−（4'−クロロフェニル）カルボニルオキシフェニル基、４−（2'−クロロフェニル）カルボニルオキシフェニル基、４−フェニルカルボニルオキシ−１−ナフチル基、６−フェニルカルボニルオキシ−２−ナフチル基、７−フェニルカルボニルオキシ−２−ナフチル基、
【００２３】
４−メチルチオフェニル基、２−メチルチオフェニル基、４−エチルチオフェニル基、３−エチルチオフェニル基、４−ｎ−プロピルチオフェニル基、４−ｎ−ブチルチオフェニル基、４−ｎ−ヘキシルチオフェニル基、４−ｎ−オクチルチオフェニル基、４−シクロヘキシルチオフェニル基、４−ベンジルチオフェニル基、３−ベンジルチオフェニル基、４−（４’−クロロベンジルチオ）フェニル基、４−フェニルチオフェニル、３−フェニルチオフェニル基、４−（４’−メチルフェニルチオ）フェニル基、４−（４’−メトキシフェニルチオ）フェニル基、４−（４’−クロロフェニルチオ）フェニル基、２−エチルチオ−１−ナフチル基、４−メチルチオ−１−ナフチル基、６−エチルチオ−２−ナフチル基、６−フェニルチオ−２−ナフチル基、
４−フルオロフェニル基、３−フルオロフェニル基、２−フルオロフェニル基、４−クロロフェニル基、３−クロロフェニル基、２−クロロフェニル基、４−ブロモフェニル基、４−クロロ−１−ナフチル基、４−クロロ−２−ナフチル基、６−ブロモ−２−ナフチル基、４−ニトロフェニル基、３−ニトロフェニル基、４−ホルミルフェニル基、３−ホルミルフェニル基、２−ホルミルフェニル基、４−ホルミル−１−ナフチル基、１−ホルミル−２−ナフチル基、
【００２４】
４−ヒドロキシフェニル基、３−ヒドロキシフェニル基、２−ヒドロキシフェニル基、４−ヒドロキシ−１−ナフチル基、６−ヒドロキシ−２−ナフチル基、４−シアノフェニル基、２−シアノフェニル基、４−シアノ−１−ナフチル基、６−シアノ−２−ナフチル基、２−クロロ−４−ニトロフェニル基、４−クロロ−２−ニトロフェニル基、６−クロロ−３−メチルフェニル基、２−クロロ−６−メチルフェニル基、４−クロロ−２−メチルフェニル基、４−クロロ−３−メチルフェニル基、２，４−ジメチルフェニル基、２，５−ジメチルフェニル基、
３，４−ジメチルフェニル基、３，５−ジメチルフェニル基、２，６−ジメチルフェニル基、２，４−ジエチルフェニル基、２，３，５−トリメチルフェニル基、２，３，６−トリメチルフェニル基、２，４，６−トリメチルフェニル基、
２，３−ジクロロフェニル基、２，４−ジクロロフェニル基、２，５−ジクロロフェニル基、２，６−ジクロロフェニル基、３，４−ジクロロフェニル基、３，５−ジクロロフェニル基、２，４，６−トリクロロフェニル基、２−メトキシ−４−メチルフェニル基、２，６−ジメトキシフェニル基、３，５−ジメトキシフェニル基、３，５−ジエトキシフェニル基、３，５−ジ−ｎ−ブトキシフェニル基、３，４，５−トリメトキシフェニル基、２，４−ジクロロ−１−ナフチル基、１，６−ジクロロ−２−ナフチル基などを例示することができるが、これらに限定されるものではない。
【００２５】
本発明に係る一般式（１）で表される化合物は、サリチル酸骨格内にカルバメート基を有するものであり、カルバメート基の置換位置はサリチル酸骨格において、３位、４位、５位あるいは６位の位置であり、３位、４位あるいは５位の位置に置換されていることがより好ましく、４位あるいは５位の位置に置換されていることが特に好ましい。即ち、下記一般式（１−ａ）または一般式（１−ｂ）（化３）で表されるサリチル酸誘導体が特に好ましい。
【００２６】
【化３】
0003998271.tif 000003
（上式中、Ｘ1 、Ｘ2 、Ｙ1 、Ｙ2 、Ｒ1 及びＲ2 は前記と同じ意味を示す）
【００２７】
本発明に係る一般式（１）で表されるサリチル酸誘導体の具体例としては、以下に挙げるサリチル酸誘導体を例示することができるが、勿論、本発明はこれらにより限定されるものではない。
【００２８】
例示化合物
番号
１．３−（イソプロピルオキシカルボニルアミノ）サリチル酸
２．３−（イソペンチルオキシカルボニルアミノ）サリチル酸
３．３−（ｎ−ヘキシルオキシカルボニルアミノ）サリチル酸
４．３−（ｎ−オクチルオキシカルボニルアミノ）サリチル酸
５．３−（ｎ−デシルオキシカルボニルアミノ）サリチル酸
６．３−〔（４’−メチルシクロヘキシル）オキシカルボニルアミノ〕サリチル酸
７．３−〔（２’−シクロヘキシルエチル）オキシカルボニルアミノ〕サリ
チル酸
８．３−（アリルオキシカルボニルアミノ）サリチル酸
９．３−〔（２’−ヘキセニル）オキシカルボニルアミノ〕サリチル酸
１０．３−〔（2'−エトキシエチル）オキシカルボニルアミノ〕サリチル酸
１１．３−〔（3'−ｎ−ヘキシルオキシプロピル）オキシカルボニルアミノ〕サリチル酸
１２．３−〔（２’−ベンジルオキシエチル）オキシカルボニルアミノ〕サリチル酸
１３．３−（フェノキシメチルオキシカルボニルアミノ）サリチル酸
１４．３−〔（２’−フェノキシエチル）オキシカルボニルアミノ〕サリチル酸
１５．３−〔２’−（４−クロロフェニルオキシ）エチルオキシカルボニルアミノ〕サリチル酸
【００２９】
１６．３−〔２’−（４−メトキシフェニルオキシ）エチルオキシカルボニルアミノ〕サリチル酸
１７．３−〔２’−（２”−フェノキシエトキシ）エチルオキシカルボニルアミノ〕サリチル酸
１８．３−（シンナミルオキシカルボニルアミノ）サリチル酸
１９．３−〔（２’−ｎ−ブチルチオエチル）オキシカルボニルアミノ〕サリチル酸
２０．３−〔（２’−メトキシエチルチオエチル）オキシカルボニルアミノ〕サリチル酸
２１．３−〔（２’−アリルチオエチル）オキシカルボニルアミノ〕サリチル酸
２２．３−〔（２’−ベンジルチオエチル）オキシカルボニルアミノ〕サリチル酸
２３．３−〔（２’−フェニルチオエチル）オキシカルボニルアミノ〕サリチル酸
２４．３−〔（7'−クロロヘプチル）オキシカルボニルアミノ〕サリチル酸
２５．３−（ベンジルオキシカルボニルアミノ）サリチル酸
２６．３−〔（4'−メチルベンジル）オキシカルボニルアミノ〕サリチル酸
２７．３−〔（4'−クロロベンジル）オキシカルボニルアミノ〕サリチル酸
２８．３−〔（３’−フェノキシベンジル）オキシカルボニルアミノ〕サリチル酸
２９．３−（フェニルオキシカルボニルアミノ）サリチル酸
３０．３−〔（２’−ナフチル）オキシカルボニルアミノ〕サリチル酸
【００３０】
３１．３−〔（３’−フリール）オキシカルボニルアミノ〕サリチル酸
３２．３−〔（3'−フェニルフェニル）オキシカルボニルアミノ〕サリチル酸
３３．３−〔（4'−メチルフェニル）オキシカルボニルアミノ〕サリチル酸
３４．３−〔（４’−ｎ−ブチルフェニル）オキシカルボニルアミノ〕サリチル酸
３５．３−〔（４’−tert−ブチルフェニル）オキシカルボニルアミノ〕サリチル酸
３６．３−〔（４’−シクロヘキシルフェニル）オキシカルボニルアミノ〕サリチル酸
３７．３−〔（3'−メトキシフェニル）オキシカルボニルアミノ〕サリチル酸
３８．３−〔（４’−ｎ−ブトキシフェニル）オキシカルボニルアミノ〕サリチル酸
３９．３−〔（4'−ｎ−オクチルオキシフェニル）オキシカルボニルアミノ〕サリチル酸
４０．３−〔（４’−フェノキシフェニル）オキシカルボニルアミノ〕サリチル酸
４１．３−〔（2'−アセチルフェニル）オキシカルボニルアミノ〕サリチル酸
４２．３−〔（４’−アリルカルボニルフェニル）オキシカルボニルアミノ〕サリチル酸
４３．３−〔（4'−フェニルカルボニルフェニル）オキシカルボニルアミノ〕サリチル酸
４４．３−〔（４’−ｎ−ブトキシカルボニルフェニル）オキシカルボニルアミノ〕サリチル酸
４５．３−〔（４’−ベンジルオキシフェニル）オキシカルボニルアミノ〕サリチル酸
【００３１】
４６．３−〔（４’−アセチルオキシフェニル）オキシカルボニルアミノ〕サリチル酸
４７．３−〔（４’−エチルチオフェニル）オキシカルボニルアミノ〕サリチル酸
４８．３−〔（4'−フルオロフェニル）オキシカルボニルアミノ〕サリチル酸
４９．３−〔（4'−クロロフェニル）オキシカルボニルアミノ〕サリチル酸
５０．３−〔（4'−ニトロフェニル）オキシカルボニルアミノ〕サリチル酸
５１．３−〔（4'−ホルミルフェニル）オキシカルボニルアミノ〕サリチル酸
５２．３−〔（４’−ヒドロキシフェニル）オキシカルボニルアミノ〕サリチル酸
５３．３−〔（4'−シアノフェニル）オキシカルボニルアミノ〕サリチル酸
５４．３−〔（２’，４’−ジメチルフェニル）オキシカルボニルアミノ〕サリチル酸
５５．３−〔（３’，５’−ジクロロフェニル）オキシカルボニルアミノ〕サリチル酸
５６．５−メチル−３−（ｎ−ヘキシルオキシカルボニルアミノ）サリチル酸
５７．５−シクロヘキシル−３−（フェニルオキシカルボニルアミノ）サリチル酸
５８．５−クミル−３−（ｎ−ヘキシルオキシカルボニルアミノ）サリチル酸
５９．３−（ｎ−オクチルチオールカルボニルアミノ）サリチル酸
６０．３−〔（４’−クロロベンジル）チオールカルボニルアミノ〕サリチル酸
【００３２】
６１．３−〔（3'−メチルフェニル）チオールカルボニルアミノ〕サリチル酸
６２．３−（ｎ−ブチルチオールチオカルボニルアミノ）サリチル酸
６３．３−（フェニルチオールチオカルボニルアミノ）サリチル酸
６４．３−〔（４’−エトキシフェニル）チオールチオカルボニルアミノ〕サリチル酸
６５．３−（Ｎ−フェニル−Ｎ−フェニルオキシカルボニルアミノ）サリチル酸
６６．４−（メチルオキシカルボニルアミノ）サリチル酸
６７．４−（エチルオキシカルボニルアミノ）サリチル酸
６８．４−（ｎ−プロピルオキシカルボニルアミノ）サリチル酸
６９．４−（イソプロピルオキシカルボニルアミノ）サリチル酸
７０．４−（ｎ−ブチルオキシカルボニルアミノ）サリチル酸
７１．４−（イソブチルオキシカルボニルアミノ）サリチル酸
７２．４−（sec −ブチルオキシカルボニルアミノ）サリチル酸
７３．４−（ｎ−ペンチルオキシカルボニルアミノ）サリチル酸
７４．４−（イソペンチルオキシカルボニルアミノ）サリチル酸
７５．４−（ｎ−ヘキシルオキシカルボニルアミノ）サリチル酸
【００３３】
７６．４−（ｎ−ヘプチルオキシカルボニルアミノ）サリチル酸
７７．４−（ｎ−オクチルオキシカルボニルアミノ）サリチル酸
７８．４−〔（2'−エチルヘキシル）オキシカルボニルアミノ〕サリチル酸
７９．４−（ｎ−ノニルオキシカルボニルアミノ）サリチル酸
８０．４−（ｎ−デシルオキシカルボニルアミノ）サリチル酸
８１．４−（ｎ−ウンデシルオキシカルボニルアミノ）サリチル酸
８２．４−（ｎ−ドデシルオキシカルボニルアミノ）サリチル酸
８３．４−（ｎ−トリデシルオキシカルボニルアミノ）サリチル酸
８４．４−（ｎ−テトラデシルオキシカルボニルアミノ）サリチル酸
８５．４−（ｎ−ペンタデシルオキシカルボニルアミノ）サリチル酸
８６．４−（ｎ−ヘキサデシルオキシカルボニルアミノ）サリチル酸
８７．４−（ｎ−ヘプタデシルオキシカルボニルアミノ）サリチル酸
８８．４−（ｎ−オクタデシルオキシカルボニルアミノ）サリチル酸
８９．４−（シクロペンチルオキシカルボニルアミノ）サリチル酸
９０．４−（シクロヘキシルオキシカルボニルアミノ）サリチル酸
【００３４】
９１．４−〔（4'−tert−ブチルシクロヘキシル）オキシカルボニルアミノ〕サリチル酸
９２．４−（シクロヘプチルオキシカルボニルアミノ）サリチル酸
９３．４−（シクロオクチルオキシカルボニルアミノ）サリチル酸
９４．４−（シクロヘキシルメチルオキシカルボニルアミノ）サリチル酸
９５．４−〔（２’−テトラヒドロフルフリル）オキシカルボニルアミノ〕サリチル酸
９６．４−〔（2'−メトキシエチル）オキシカルボニルアミノ〕サリチル酸
９７．４−〔（２’−ｎ−ヘキシルオキシエチル）オキシカルボニルアミノ〕サリチル酸
９８．４−〔（２’−ｎ−オクチルオキシエチル）オキシカルボニルアミノ〕サリチル酸
９９．４−〔（3'−エトキシプロピル）オキシカルボニルアミノ〕サリチル酸
１００．４−〔（３’−ｎ−ブトキシプロピル）オキシカルボニルアミノ〕サリチル酸
１０１．４−〔（3'−ｎ−オクチルオキシプロピル）オキシカルボニルアミノ〕サリチル酸
１０２．４−〔２’−（２”−ｎ−ブトキシエトキシ）エチルオキシカルボニルアミノ〕サリチル酸
１０３．４−〔（２’−ベンジルオキシエチル）オキシカルボニルアミノ〕サリチル酸
１０４．４−〔（フェノキシメチル）オキシカルボニルアミノ〕サリチル酸
１０５．４−〔（２’−フェノキシエチル）オキシカルボニルアミノ〕サリチル酸
【００３５】
１０６．４−〔２’−（４−クロロフェニルオキシ）エチルオキシカルボニルアミノ〕サリチル酸
１０７．４−〔２’−（４−メトキシフェニルオキシ）エチルオキシカルボニルアミノ〕サリチル酸
１０８．４−〔２’−（２”−フェノキシエトキシ）エチルオキシカルボニルアミノ〕サリチル酸
１０９．４−〔（３’−ｎ−ブチルチオプロピル）オキシカルボニルアミノ〕サリチル酸
１１０．４−〔（６’−エチルチオヘキシル）オキシカルボニルアミノ〕サリチル酸
１１１．４−〔（２’−ベンジルチオエチル）オキシカルボニルアミノ〕サリチル酸
１１２．４−〔（２’−フェニルチオエチル）オキシカルボニルアミノ〕サリチル酸
１１３．４−〔（２’−クロロエチル）オキシカルボニルアミノ〕サリチル酸
１１４．４−〔（９’−デセニル）オキシカルボニルアミノ〕サリチル酸
１１５．４−（ベンジルオキシカルボニルアミノ）サリチル酸
１１６．４−〔（4'−メチルベンジル）オキシカルボニルアミノ〕サリチル酸
１１７．４−〔（4'−クロロベンジル）オキシカルボニルアミノ〕サリチル酸
１１８．４−〔（2'−フェニルエチル）オキシカルボニルアミノ〕サリチル酸
１１９．４−（フェニルオキシカルボニルアミノ）サリチル酸
１２０．４−〔（１’−ナフチル）オキシカルボニルアミノ〕サリチル酸
【００３６】
１２１．４−〔（２’−ナフチル）オキシカルボニルアミノ〕サリチル酸
１２２．４−〔（２’−フリル）オキシカルボニルアミノ〕サリチル酸
１２３．４−〔（4'−フェニルフェニル）オキシカルボニルアミノ〕サリチル酸
１２４．４−〔（４’−メチルフェニル）オキシカルボニルアミノ〕サリチル酸
１２５．４−〔（３’−メチルフェニル）オキシカルボニルアミノ〕サリチル酸
１２６．４−〔（２’−メチルフェニル）オキシカルボニルアミノ〕サリチル酸
１２７．４−〔（４’−エチルフェニル）オキシカルボニルアミノ〕サリチル酸
１２８．４−〔（４’−tert−ブチルフェニル）オキシカルボニルアミノ〕サリチル酸
１２９．４−〔（４’−シクロヘキシルフェニル）オキシカルボニルアミノ〕サリチル酸
１３０．４−〔（２’−シクロヘキシルフェニル）オキシカルボニルアミノ〕サリチル酸
１３１  ４−〔（４’−クミルフェニル）オキシカルボニルアミノ〕サリチル酸
１３２．４−〔（4'−メトキシフェニル）オキシカルボニルアミノ〕サリチル酸
１３３．４−〔（3'−メトキシフェニル）オキシカルボニルアミノ〕サリチル酸
１３４．４−〔（2'−エトキシフェニル）オキシカルボニルアミノ〕サリチル酸
１３５．４−〔（４’−ｎ−ブトキシフェニル）オキシカルボニルアミノ〕サリチル酸
【００３７】
１３６．４−〔（4'−ｎ−ヘキシルオキシフェニル）オキシカルボニルアミノ〕サリチル酸
１３７．４−〔（４’−ベンジルオキシフェニル）オキシカルボニルアミノ〕サリチル酸
１３８．４−〔４’−（４−ベンジルオキシクミル）フェニルオキシカルボニルアミノ〕サリチル酸
１３９．４−〔（４’−フェノキシフェニル）オキシカルボニルアミノ〕サリチル酸
１４０．４−〔2'−（６−ベンジルオキシ）ナフチルオキシカルボニルアミノ〕サリチル酸
１４１．４−〔（4'−フェニルカルボニルフェニル）オキシカルボニルアミノ〕サリチル酸
１４２．４−〔（4'−アセチルフェニル）オキシカルボニルアミノ〕サリチル酸
１４３．４−〔（4'−エトキシカルボニルフェニル）オキシカルボニルアミノ〕サリチル酸
１４４．４−〔（４’−シクロヘキシルオキシカルボニルフェニル）オキシカルボニルアミノ〕サリチル酸
１４５．４−〔（４’−ｎ−プロピルカルボニルオキシフェニル）オキシカルボニルアミノ〕サリチル酸
１４６．４−〔（４’−メチルチオフェニル）オキシカルボニルアミノ〕サリチル酸
１４７．４−〔（４’−ベンジルチオフェニル）オキシカルボニルアミノ〕サリチル酸
１４８  ４−〔（４’−フルオロフェニル）オキシカルボニルアミノ〕サリチル酸
１４９．４−〔（２’−フルオロフェニル）オキシカルボニルアミノ〕サリチル酸
１５０．４−〔（4'−クロロフェニル）オキシカルボニルアミノ〕サリチル酸
【００３８】
１５１．４−〔（３’−クロロフェニル）オキシカルボニルアミノ〕サリチル酸
１５２．４−〔（４’−ブロモフェニル）オキシカルボニルアミノ〕サリチル酸
１５３．４−〔（４’−ニトロフェニル）オキシカルボニルアミノ〕サリチル酸
１５４．４−〔（４’−ホルミルフェニル）オキシカルボニルアミノ〕サリチル酸
１５５．４−〔（４’−シアノフェニル）オキシカルボニルアミノ〕サリチル酸
１５６．４−〔（２’，４’−ジメチルフェニル）オキシカルボニルアミノ〕サリチル酸
１５７．４−〔（３’，５’−ジメチルフェニル）オキシカルボニルアミノ〕サリチル酸
１５８．４−〔（２’，４’−ジクロロフェニル）オキシカルボニルアミノ〕サリチル酸
１５９．４−〔（３’，５’−ジメトキシフェニル）オキシカルボニルアミノ〕サリチル酸
１６０．４−〔（３’−ニトロ−４’−クロロフェニル）オキシカルボニルアミノ〕サリチル酸
１６１．４−〔（４’−クロロ−２’−メチルフェニル）オキシカルボニルアミノ〕サリチル酸
１６２．４−（ｎ−オクチルチオールカルボニルアミノ）サリチル酸
１６３．４−（フェニルチオールカルボニルアミノ）サリチル酸
１６４．４−〔（４’−エトキシフェニルチオール）カルボニルアミノ〕サリチル酸
１６５．４−（ｎ−ヘキシルチオールチオカルボニルアミノ）サリチル酸
【００３９】
１６６．４−〔（４’−メチルフェニルチオール）チオカルボニルアミノ〕サリチル酸
１６７．４−（ｎ−デシルオキシチオカルボニルアミノ）サリチル酸
１６８．４−（Ｎ−ｎ−ブチル−Ｎ−ヘプチルオキシカルボニルアミノ）サリチル酸
１６９．３−エチル−４−（フェニルオキシカルボニルアミノ）サリチル酸
１７０．３−クロロ−４−（ｎ−ブチルオキシカルボニルアミノ）サリチル酸
１７１．５−（メチルオキシカルボニルアミノ）サリチル酸
１７２．５−（エチルオキシカルボニルアミノ）サリチル酸
１７３．５−（ｎ−プロピルオキシカルボニルアミノ）サリチル酸
１７４．５−（ｎ−ブチルオキシカルボニルアミノ）サリチル酸
１７５．５−（イソブチルオキシカルボニルアミノ）サリチル酸
１７６．５−（ｎ−ペンチルオキシカルボニルアミノ）サリチル酸
１７７．５−（イソペンチルオキシカルボニルアミノ）サリチル酸
１７８．５−（ｎ−ヘキシルオキシカルボニルアミノ）サリチル酸
１７９．５−（ｎ−ヘプチルオキシカルボニルアミノ）サリチル酸
１８０．５−（ｎ−オクチルオキシカルボニルアミノ）サリチル酸
【００４０】
１８１．５−〔（２’−エチルヘキシル）オキシカルボニルアミノ〕サリチル酸
１８２．５−（ｎ−ノニルオキシカルボニルアミノ）サリチル酸
１８３．５−（ｎ−デシルオキシカルボニルアミノ）サリチル酸
１８４．５−（ｎ−ウンデシルオキシカルボニルアミノ）サリチル酸
１８５．５−（ｎ−ドデシルオキシカルボニルアミノ）サリチル酸
１８６．５−（ｎ−テトラデシルオキシカルボニルアミノ）サリチル酸
１８７．５−（ｎ−ヘキサデシルオキシカルボニルアミノ）サリチル酸
１８８．５−（シクロヘキシルオキシカルボニルアミノ）サリチル酸
１８９．５−〔（４’−メチルシクロヘキシル）オキシカルボニルアミノ〕サリチル酸
１９０．５−〔（４’−tert−ブチルシクロヘキシル）オキシカルボニルアミノ〕サリチル酸
１９１．５−〔（２’−シクロヘキシルエチル）オキシカルボニルアミノ〕サリチル酸
１９２．５−（シクロオクチルオキシカルボニルアミノ）サリチル酸
１９３．５−〔（２’−テトラヒドロフルフリル）オキシカルボニルアミノ〕サリチル酸
１９４．５−〔（２’−メトキシエチル）オキシカルボニルアミノ〕サリチル酸
１９５．５−〔（２’−ｎ−ヘキシルオキシエチル）オキシカルボニルアミノ〕サリチル酸
【００４１】
１９６．５−〔（３’−エトキシプロピル）オキシカルボニルアミノ〕サリチル酸
１９７．５−〔（３’−イソプロポキシプロピル）オキシカルボニルアミノ〕サリチル酸
１９８．５−〔２’−（２”−メトキシエトキシ）エチルオキシカルボニルアミノ〕サリチル酸
１９９．５−（フェノキシメチルオキシカルボニルアミノ）サリチル酸
２００．５−（２’−フェノキシエチルオキシカルボニルアミノ）サリチル酸
２０１．５−〔２’−（４−クロロフェニルオキシ）エチルオキシカルボニルアミノ〕サリチル酸
２０２．５−〔２’−（４−メトキシフェニルオキシ）エチルオキシカルボニルアミノ〕サリチル酸
２０３．５−〔２’−（２”−フェノキシエトキシ）エチルオキシカルボニルアミノ〕サリチル酸
２０４．５−〔（２’−ｎ−ヘキシルチオエチル）オキシカルボニルアミノ〕サリチル酸
２０５．５−〔（２’−フェニルチオエチル）オキシカルボニルアミノ〕サリチル酸
２０６．５−（２’−クロロエチルオキシカルボニルアミノ）サリチル酸
２０７．５−（５’−ヘキセニルオキシカルボニルアミノ）サリチル酸
２０８．５−（ベンジルオキシカルボニルアミノ）サリチル酸
２０９．５−〔（４’−メチルベンジル）オキシカルボニルアミノ〕サリチル酸
２１０．５−〔（４’−クロロベンジル）オキシカルボニルアミノ〕サリチル酸
２１１．５−〔（２’−フェニルエチル）オキシカルボニルアミノ〕サリチル酸
２１２．５−（フェニルオキシカルボニルアミノ）サリチル酸
２１３．５−〔（２’−ナフチル）オキシカルボニルアミノ〕サリチル酸
２１４．５−〔（４’−フェニルフェニル）オキシカルボニルアミノ〕サリチル酸
２１５．５−〔（３’−メチルフェニル）オキシカルボニルアミノ〕サリチル酸
２１６．５−〔（４’−エチルフェニル）オキシカルボニルアミノ〕サリチル酸
２１７．５−〔（４’−シクロヘキシルフェニル）オキシカルボニルアミノ〕サリチル酸
２１８．５−〔（４’−クミルフェニル）オキシカルボニルアミノ〕サリチル酸
２１９．５−〔（４’−メトキシフェニル）オキシカルボニルアミノ〕サリチル酸
２２０．５−〔（３’−エトキシフェニル）オキシカルボニルアミノ〕サリチル酸
２２１．５−〔（４’−ｎ−ブトキシフェニル）オキシカルボニルアミノ〕サリチル酸
２２２．５−〔（４’−フェノキシフェニル）オキシカルボニルアミノ〕サリチル酸
２２３．５−〔（４’−アセチルフェニル）オキシカルボニルアミノ〕サリチル酸
２２４．５−〔（４’−メトキシカルボニルフェニル）オキシカルボニルアミノ〕サリチル酸
２２５．５−〔（４’−エチルカルボニルオキシフェニル）オキシカルボニルアミノ〕サリチル酸
【００４２】
２２６．５−〔（４’−エチルチオフェニル）オキシカルボニルアミノ〕サリチル酸
２２７．５−〔（４’−フェニルチオフェニル）オキシカルボニルアミノ〕サリチル酸
２２８．５−〔（４’−フルオロフェニル）オキシカルボニルアミノ〕サリチル酸
２２９．５−〔（３’−フルオロフェニル）オキシカルボニルアミノ〕サリチル酸
２３０．５−〔（４’−クロロフェニル）オキシカルボニルアミノ〕サリチル酸
２３１．５−〔（３’−クロロフェニル）オキシカルボニルアミノ〕サリチル酸
２３２．５−〔（２’−クロロフェニル）オキシカルボニルアミノ〕サリチル酸
２３３．５−〔（２’−ホルミルフェニル）オキシカルボニルアミノ〕サリチル酸
２３４．５−〔（２’−シアノフェニル）オキシカルボニルアミノ〕サリチル酸
２３５．５−〔（２’，４’−ジメチルフェニル）オキシカルボニルアミノ〕サリチル酸
２３６．５−〔（３’，５’−ジメチルフェニル）オキシカルボニルアミノ〕サリチル酸
２３７．５−〔（３’−ニトロ−４’−クロロフェニル）オキシカルボニルアミノ〕サリチル酸
２３８．５−（ｎ−ブチルチオールカルボニルアミノ）サリチル酸
２３９．５−（フェニルチオールカルボニルアミノ）サリチル酸
２４０．５−〔（２’−ナフチルチオール）カルボニルアミノ〕サリチル酸
【００４３】
２４１．５−〔（４’−メチルフェニルチオール）カルボニルアミノ〕サリチル酸
２４２．５−（ｎ−ヘプチルチオールチオカルボニルアミノ）サリチル酸
２４３．５−（ｎ−ドデシルチオールチオカルボニルアミノ）サリチル酸
２４４．５−（ｎ−ペンチルオキシチオカルボニルアミノ）サリチル酸
２４５．５−〔（４’−クロロフェニル）オキシチオカルボニルアミノ〕サリチル酸
２４６．５−（Ｎ−メチル−Ｎ−フェニルオキシカルボニルアミノ）サリチル酸
２４７．３−メチル−５−（メチルオキシカルボニルアミノ）サリチル酸
２４８．３−エトキシ−５−（ｎ−ブチルオキシカルボニルアミノ）サリチル酸
２４９．３−α−メチルベンジル−５−（エチルオキシカルボニルアミノ）サリチル酸
２５０．３−フェニル−５−（ｎ−ヘキシルオキシカルボニルアミノ）サリチル酸
２５１．６−（ｎ−プロピルオキシカルボニルアミノ）サリチル酸
２５２．６−（イソペンチルオキシカルボニルアミノ）サリチル酸
２５３．６−（ｎ−ヘプチルオキシカルボニルアミノ）サリチル酸
２５４．６−〔（１’−メチルヘプチル）オキシカルボニルアミノ〕サリチル酸
２５５．６−（ｎ−ドデシルオキシカルボニルアミノ）サリチル酸
【００４４】
２５６．６−〔（２’，５’−ジメチルシクロヘキシル）オキシカルボニルアミノ〕サリチル酸
２５７．６−〔（２’−シクロヘキシルメチル）オキシカルボニルアミノ〕サリチル酸
２５８．６−〔（３’−ブテニル）オキシカルボニルアミノ〕サリチル酸
２５９．６−〔（１０’−ウンデセニル）オキシカルボニルアミノ〕サリチル酸
２６０．６−〔（２’−イソプロポキシエチル）オキシカルボニルアミノ〕サリチル酸
２６１．６−〔（３’−シクロヘキシルオキシプロピル）オキシカルボニルアミノ〕サリチル酸
２６２．６−〔（２’−フェネチルオキシエチル）オキシカルボニルアミノ〕サリチル酸
２６３．６−〔（２’−フェノキシエチル）オキシカルボニルアミノ〕サリチル酸
２６４．６−〔２’−（４−クロロフェノキシ）エチルオキシカルボニルアミノ〕サリチル酸
２６５．６−〔（３’−ｎ−ブチルチオプロピル）オキシカルボニルアミノ〕サリチル酸
２６６．６−〔３’−（４−メチルベンジルチオ）プロピルオキシカルボニルアミノ〕サリチル酸
２６７．６−〔（２’−フェニルチオエチル）オキシカルボニルアミノ〕サリチル酸
２６８．６−〔（２’−テトラヒドロフルフリル）オキシカルボニルアミノ〕サリチル酸
２６９．６−〔（２’−クロロエチル）オキシカルボニルアミノ〕サリチル酸
２７０．６−（ベンジルオキシカルボニルアミノ）サリチル酸
【００４５】
２７１．６−〔（４’−クロロベンジル）オキシカルボニルアミノ〕サリチル酸
２７２．６−（フェニルオキシカルボニルアミノ）サリチル酸
２７３．６−〔（１’−ナフチル）オキシカルボニルアミノ〕サリチル酸
２７４．６−〔（４’−フェニルフェニル）オキシカルボニルアミノ〕サリチル酸
２７５．６−〔（２’−エチルフェニル）オキシカルボニルアミノ〕サリチル酸
２７６．６−〔（４’−tert−ブチルフェニル）オキシカルボニルアミノ〕サリチル酸
２７７．６−〔（３’−メトキシフェニル）オキシカルボニルアミノ〕サリチル酸
２７８．６−〔（４’−ｎ−ヘキシルオキシフェニル）オキシカルボニルアミノ〕サリチル酸
２７９．６−〔（３’−フェノキシフェニル）オキシカルボニルアミノ〕サリチル酸
２８０．６−〔（４’−エチルカルボニルフェニル）オキシカルボニルアミノ〕サリチル酸
２８１．６−〔（４’−ベンジルカルボニルフェニル）オキシカルボニルアミノ〕サリチル酸
２８２．６−〔（４’−メトキシカルボニルフェニル）オキシカルボニルアミノ〕サリチル酸
２８３．６−〔（４’−メチルチオフェニル）オキシカルボニルアミノ〕サリチル酸
２８４．６−〔（３’−フルオロフェニル）オキシカルボニルアミノ〕サリチル酸
２８５．６−〔（２’−クロロフェニル）オキシカルボニルアミノ〕サリチル酸
【００４６】
２８６．６−〔（３’−ニトロフェニル）オキシカルボニルアミノ〕サリチル酸
２８７．６−〔（２’−ホルミルフェニル）オキシカルボニルアミノ〕サリチル酸
２８８．６−〔（３’−ヒドロキシフェニル）オキシカルボニルアミノ〕サリチル酸
２８９．６−〔（４’−シアノフェニル）オキシカルボニルアミノ〕サリチル酸
２９０．６−〔（３’，４’−ジメチルフェニル）オキシカルボニルアミノ〕サリチル酸
２９１．６−〔（２’，４’−ジクロロフェニル）オキシカルボニルアミノ〕サリチル酸
２９２．３−エチル−６−（ｎ−ヘキシルオキシカルボニルアミノ）サリチル酸
２９３．３−tert−ブチル−６−（フェニルオキシカルボニルアミノ）サリチル酸
２９４．６−（Ｎ−エチル−Ｎ−フェニルオキシカルボニルアミノ）サリチル酸
２９５．６−（ｎ−オクチルチオールカルボニルアミノ）サリチル酸
２９６．６−〔（４’−メチルベンジル）チオールカルボニルアミノ〕サリチル酸
２９７．６−〔（４’−メチルフェニル）チオールカルボニルアミノ〕サリチル酸
２９８．６−（ｎ−オクチルチオールチオカルボニルアミノ）サリチル酸
２９９．６−（フェニルチオールチオカルボニルアミノ）サリチル酸
３００．６−〔（４’−メトキシフェニル）チオールチオカルボニルアミノ〕サリチル酸
【００４７】
本発明に係る一般式（１）で表されるサリチル酸誘導体は、公知の方法、例えば、Bull. de. Socie. Chim. France,  1189(1955)、J. Pharm. Sci., 52、927(1963) 、あるいは特開平６−７２９８４号公報に記載の方法により製造することができる。すなわち、一般式（２）（化４）で表されるアミノサリチル酸誘導体に、塩基（例えば、水酸化ナトリウム、水酸化カリウム、炭酸カリウム、炭酸水素ナトリウム）存在下、水溶液中、またはアルコール系溶媒（例えば、メタノール、エタノール、プロパノール、ブタノール、ペンタノール、ヘプタノール、オクタノール、シクロヘキサノール、メチルセロソルブ、エチルセロソルブ等）の存在下で、一般式（３）（化４）で表される化合物を作用させることにより製造することができる。
【００４８】
【化４】
0003998271.tif 000004
（上式中、Ｘ1 、Ｘ2 、Ｙ1 、Ｙ2 、Ｒ1 およびＲ2 は前記と同じであり、Ｚはハロゲン原子を表す）
【００４９】
本発明に係る一般式（１）で表されるサリチル酸誘導体のアルカリ金属塩としては、例えば、リチウム、ナトリウムまたはカリウム塩を挙げることができ、より好ましくは、ナトリウムまたはカリウム塩であり、特に好ましくは、ナトリウム塩である。
尚、一般式（１）で表されるサリチル酸誘導体のアルカリ金属塩としては、複数の異なる一般式（１）で表されるサリチル酸誘導体のアルカリ金属塩を用いてもよく、例えば、４−（ｎ−ブチルオキシカルボニルアミノ）サリチル酸と４−（ｎ−オクチルオキシカルボニルアミノ）サリチル酸のそれぞれのアルカリ金属塩の混合塩、あるいは４−（フェニルオキシカルボニルアミノ）サリチル酸と５−（シクロヘキルオキシカルボニルアミノ）サリチル酸のそれぞれのアルカリ金属塩の混合塩に多価金属化合物を作用させてもよく、この場合、異なる構造の一般式（１）で表されるサリチル酸誘導体の多価金属塩（複合多価金属塩）が生成することはいうまでもない。
【００５０】
一般式（１）で表される化合物のアルカリ金属塩の製造方法としては、特に限定するものではないが、通常、例えば、一般式（１）で表されるサリチル酸誘導体１当量に対し、０．８〜１．２当量、好ましくは、１．０〜１．１当量のアルカリ金属化合物（例えば、水酸化リチウム、水酸化ナトリウム、水酸化カリウム、炭酸水素ナトリウム、炭酸水素カリウム、炭酸ナトリウム、炭酸カリウム）を水存在下で作用させて製造することができる。
一般式（１）で表されるサリチル酸誘導体のアルカリ金属塩を製造する際に使用する水の量は、特に限定するものではなく、該アルカリ金属塩の一部が溶解する量を使用すればよく、好ましくは、該アルカリ金属塩の５０重量％以上、より好ましくは、８０重量％以上が溶解する量を使用することが望ましい。
一般式（１）で表されるサリチル酸誘導体のアルカリ金属塩を製造する際の温度は、特に限定するものではないが、通常、約０〜約６０℃が好ましく、より好ましくは、約１０〜約５０℃である。
【００５１】
本発明の製造方法は、一般式（１）で表されるサリチル酸誘導体の多価金属塩を製造する際に、水、および、水に実質的に不溶性で且つ一般式（１）で表されるサリチル酸誘導体の多価金属塩の溶解度が２５℃で５重量％以下である有機溶媒（以下、有機溶媒Ａと略記する）の存在下で、該サリチル酸誘導体のアルカリ金属塩と多価金属化合物とを、反応させることを特徴とするものである。
本発明に係る一般式（１）で表されるサリチル酸誘導体の多価金属塩としては、好ましくは、水難溶性あるいは水不溶性の２価、３価あるいは４価の金属塩であり、より好ましくは、２価の金属塩である。多価金属塩の具体例としては、亜鉛、マグネシウム、カルシウム、バリウム、ニッケル、スズ、銅、モリブデン、タングステン、ジルコニウム、マンガン、コバルト、チタン、アルミニウム、鉄の塩を挙げることができ、好ましくは、亜鉛、マグネシウム、カルシウム、バリウム、ニッケル、マンガン、コバルト、アルミニムの塩であり、より好ましくは、亜鉛、マグネシウム、カルシウム、マンガンの塩であり、特に好ましくは、亜鉛塩である。
【００５２】
多価金属化合物としては、２価、３価または４価の水可溶性の金属化合物が好ましく、具体例としては、例えば、硫酸亜鉛、硫酸マグネシウム、硫酸アルミニウム等の硫酸塩、塩化亜鉛、塩化マグネシウム、塩化カルシウム、塩化バリウム、塩化ニッケル、塩化コバルト、塩化アルミニウム等の塩化物、酢酸亜鉛、酢酸マンガン等の酢酸塩、硝酸亜鉛等の硝酸塩等を挙げることができる。多価金属化合物は単独で使用してもよく、または複数併用してもよい。
また、多価金属化合物は、固体状態で使用してもよく、あるいは水溶液の状態で使用してもよい。
多価金属化合物の使用量は、一般式（１）で表されるサリチル酸誘導体のアルカリ金属塩１当量に対し、０．８〜１．５当量、好ましくは、１．０〜１．２当量である。尚、この場合の当量とは、一般式（１）で表されるサリチル酸誘導体のアルカリ金属塩１モルに対し、多価金属化合物が、例えば、２価の金属化合物（例えば、硫酸亜鉛）の場合には、０．５モルの２価の金属化合物が１当量に相当するものである。
【００５３】
本発明において使用する有機溶媒Ａとしては、水に実質的に不溶性で且つ一般式（１）で表されるサリチル酸誘導体の多価金属塩の溶解度が２５℃で５重量％以下である有機溶媒であり、より好ましくは、水に実質的に不溶性で且つ一般式（１）で表されるサリチル酸誘導体の多価金属塩の溶解度が２５℃で２重量％以下である有機溶媒である。また、有機溶媒Ａとしては、取り扱い性、または後処理操作性等を考慮すると、大気圧下での沸点が、室温〜２００℃程度であることが好ましく、３０〜１５０℃程度であるものがより好ましい。
有機溶媒Ａとしては、特に限定するものではないが、具体例としては、例えば、ペンタン、ヘキサン、ヘプタン、オクタン、デカン、シクロヘキサン、メチルシクロヘキサン等の脂肪族炭化水素系溶媒、ベンゼン、トルエン、エチルベンゼン、キシレン、メシチレン、アニソール等の芳香族炭化水素系溶媒、ジクロロメタン、テトラクロロメタン、１，２−ジクロロエタン、１，２−ジクロロエチレン等の脂肪族ハロゲン化炭化水素系溶媒、クロロベンゼン、ジクロロベンゼン、クロロトルエン、クロロキシレン、フルオロベンゼン等の芳香族ハロゲン化炭化水素系溶媒等を挙げることができる。これらの有機溶媒Ａは単独で使用してもよく、複数併用してもよい。
【００５４】
水の使用量に関しては、特に限定するものではないが、過多に使用することは、製造効率の点で好ましくないことは自明であり、通常は、一般式（１）で表されるサリチル酸誘導体のアルカリ金属塩に対して、０．５〜２００倍重量使用することが好ましく、１〜１００倍重量使用することがより好ましい。
有機溶媒Ａの使用量に関しては、特に限定するものではなく、反応系内に水と有機溶媒Ａとの界面が存在するに足る量を使用すればよい。過多に使用すること自体、本発明の効果を妨げるものではないが、過多に使用することは製造効率等の低下を招くだけであり、有機溶媒Ａは、通常は、一般式（１）で表されるサリチル酸誘導体のアルカリ金属塩に対して、０．０１〜２０倍重量使用することが好ましく、０．０５〜１０倍重量使用することがより好ましく、０．１〜５倍重量使用することが特に好ましい。
また、本願発明の方法においては、水と有機溶媒Ａとで形成される２相界面を破壊しない程度の量の有機溶媒Ａ以外の水に可溶性の有機溶媒（例えば、メタノール、エタノール、イソプロパノール、メチルセロソルブ、エチレンングリコール、アセトン、ジオキサン、テトラヒドロフラン、ジメチルホルムアミド等）をさらに存在させてもよい。
【００５５】
本発明の製造方法の大きな特徴は、水および有機溶媒Ａの存在下で、一般式（１）で表されるサリチル酸誘導体のアルカリ金属塩と多価金属化合物を作用させる点である。この方法により、濾過性に優れた一般式（１）で表されるサリチル酸誘導体の多価金属塩を製造することができる。この理由は定かではないが、例えば、水および一般式（１）で表されるサリチル酸誘導体の多価金属塩の溶解度が２５℃で５重量％を越すメタノール等の存在下で、一般式（１）で表されるサリチル酸誘導体のアルカリ金属塩と多価金属化合物を作用させると、本発明の製造方法に見られるような優れた効果は生じないこと等から、水と有機溶媒Ａの二相の界面の存在が重要であり、優れた効果を生み出すものと考えられる。
【００５６】
本発明においては、一般式（１）で表されるサリチル酸誘導体のアルカリ金属塩と多価金属化合物との反応を、水、有機溶媒Ａの存在下で行うことを特徴とするものであるが、所望に応じて、さらに分散剤を存在させて実施してもよい。
分散剤としては、イオン性または非イオン性の分散剤が好ましい。係る分散剤としては、例えば、ポリビニルアルコール、アルキル変性ポリビニルアルコール、シアノエチル変性ポリビニルアルコール、エーテル変性ポリビニルアルコール、ポリアクリルアミド、ポリアクリル酸、アクリルアミド／アルキルアクリレート共重合体、ポリスチレンスルホン酸のアルカリ金属塩、無水マレイン酸／イソブチレン共重合体、カルボキシメチルセルロース、ヒドロキシエチルセルロース、ポリビニルピロリドン、デンプンおよびデンプン誘導体、カゼイン、アラビアゴム、寒天、ゼラチンなどの合成または天然高分子化合物、アルキルベンゼンスルホン酸のアルカリ金属塩、アルキルナフタレンスルホン酸のアルカリ金属塩、ジアルキルスルホコハク酸のアルカリ金属塩、アルキルスルホン酸のアルカリ金属塩、ポリオキシエチレンアルキルエーテル、ポリオキシエチレンアルキルフェニルエーテル、多価アルコール脂肪酸エステルなどが挙げられる。尚、これらの分散剤は単独で使用してもよく、または複数併用してもよい。分散剤の使用量は、特に制限するものではないが、通常、一般式（１）で表されるサリチル酸誘導体のアルカリ金属塩１００重量部に対して、１〜３０重量部程度である。
【００５７】
一般式（１）で表されるサリチル酸誘導体のアルカリ金属塩と多価金属化合物とを作用させる方法としては、特に限定するものではないが、例えば、
▲１▼一般式（１）で表されるサリチル酸誘導体のアルカリ金属塩、水、および有機溶媒Ａから成る混合物に、多価金属化合物を供給する方法、
▲２▼多価金属化合物および有機溶媒Ａから成る混合物に、一般式（１）で表されるサリチル酸誘導体のアルカリ金属塩および水を供給する方法、
▲３▼多価金属化合物、水および有機溶媒Ａから成る混合物に、一般式（１）で表されるサリチル酸誘導体のアルカリ金属塩を供給する方法、等を適用することができる。勿論、プロセス工学的に可能な他の変形方法も適用できることは言うまでもない。
尚、一般式（１）で表されるサリチル酸誘導体のアルカリ金属塩、多価金属化合物などの供給は、その全量を一度に供給してもよいが、適当な供給装置（例えば、各種の滴下装置、定量ポンプ）を用いて連続的に、あるいは断続的に供給することが好ましい。供給時間に関しては、特に限定するものではないが、通常５分〜１０時間程度であり、より好ましくは、１０分〜５時間程度である。
【００５８】
一般式（１）で表されるサリチル酸誘導体のアルカリ金属塩と多価金属化合物との反応は、反応効率等の向上のために、攪拌下で実施することは好ましいことである。
攪拌方法、攪拌装置に関しては、特に限定するものではないが、効率良く反応が進行する程度の攪拌能力を有する攪拌装置を使用することが好ましい。係る攪拌装置としては、例えば、プロペラ型攪拌機、タービン型攪拌機、パドル型攪拌機、ホモジナイザー、ホモミキサー、ラインミキサー、ラインホモミキサー等の攪拌機を任意に装備した、槽型反応槽、管型反応槽を挙げることができ、本発明は、これらを組み合わせることにより、バッチ式（回分式）または連続式で実施することができる。
【００５９】
一般式（１）で表されるサリチル酸誘導体のアルカリ金属塩と多価金属化合物との反応温度に関しては、特に限定するものではないが、通常、−２０℃〜水または有機溶媒Ａの沸点、より好ましくは、０℃〜水または有機溶媒Ａの沸点で実施する。
一般に、一般式（１）で表されるサリチル酸誘導体のアルカリ金属塩と多価金属化合物との反応は速やかであるが、反応終了後、所望に応じて、任意の時間、静置または攪拌操作を実施してもよい。また、一般式（１）で表されるサリチル酸誘導体のアルカリ金属塩と多価金属化合物との反応は、通常、大気圧下で実施できるが、所望により、加圧下、または減圧下で実施してもよい。さらには、不活性ガス（例えば、窒素、ヘリウム、アルゴン等のガス）の存在下で実施してもよい。
【００６０】
一般式（１）で表されるサリチル酸誘導体のアルカリ金属塩と多価金属化合物との反応により製造される一般式（１）で表されるサリチル酸誘導体の多価金属塩は、通常の方法により単離することができる。
すなわち、例えば、生成した一般式（１）で表されるサリチル酸誘導体の多価金属塩を、反応系より直接、濾過により単離する方法、あるいは、多量に有機溶媒Ａを使用した場合には、一般式（１）で表されるサリチル酸誘導体の多価金属塩が収率良く得られるように、有機溶媒Ａを、あるいは水と共に有機溶媒Ａの一部量または全量を蒸発留去した後、濾過により単離する方法等である。
尚、一般式（１）で表されるサリチル酸誘導体の多価金属塩は、場合によっては、水和物を形成することがあるが、本発明において、一般式（１）で表されるサリチル酸誘導体の多価金属塩は、このような水和物をも包含するものである。
【００６１】
一般式（１）で表されるサリチル酸誘導体の多価金属塩は、濾過、単離後、乾燥し、公知の手段、方法により分散処理し、あるいは乾燥工程を経ずとも、濾過後、直接分散処理することにより、記録材料（例えば、感熱記録材料、感圧記録材料）用の電子受容性化合物（顕色剤）の分散液を調製することができる。
この一般式（１）で表されるサリチル酸誘導体の多価金属塩が分散された水分散液を、支持体（例えば、紙、プラスチックシート、合成紙等）上に塗布、乾燥することにより、記録材料を製造することができる。
【００６２】
【実施例】
以下、実施例により本発明をさらに具体的に説明するが、本発明はこれらの実施例に限定されるものではない。
実施例１    （例示化合物番号７０の亜鉛塩の製造）
４−（ｎ−ブチルオキシカルボニルアミノ）サリチル酸２５．３ｇを、炭酸水素ナトリウム８．４ｇを含む水（５００ｇ）溶液に、３０℃で徐々に加え、溶解させた後、さらに、トルエン５ｇを加えた。
この溶液に、硫酸亜鉛の７水和物１４．９ｇを含む水（２００ｇ）溶液を２５℃で２０分を要して滴下した。滴下後、３０分間攪拌を行った後、析出している無色の固体を濾過、水洗後、乾燥（５０℃）し、４−（ｎ−ブチルオキシカルボニルアミノ）サリチル酸の亜鉛塩２５ｇを得た。融点１４０〜１４３℃。
尚、この亜鉛塩は、サリチル酸１分子に対し、１分子の水を含んでいる水和物であることが水分測定等の分析結果より判明した。
濾過は、直径９５mmの桐山式ロートを用い、Ｎｏ．５Ｂ濾紙〔日本理化学器械（株）製〕を使用して行った。濾過に要した時間は５分で、液切れも良く、濾過性は非常に良好であった。
【００６３】
実施例２    （例示化合物番号７３の亜鉛塩の製造）
４−（ｎ−ペンチルオキシカルボニルアミノ）サリチル酸２６．８ｇを、水酸化ナトリウム４．０ｇを含む水（３００ｇ）溶液に２０℃で徐々に加え、溶解させた。この溶液を、トルエン５ｇおよび硫酸亜鉛の７水和物１４．９ｇを含む水（２００ｇ）溶液に３５℃で１時間を要して滴下した。滴下後、３０分間攪拌を行った後、析出している無色の固体を濾過、水洗後、乾燥（５０℃）し、４−（ｎ−ペンチルオキシカルボニルアミノ）サリチル酸の亜鉛塩２８ｇを得た。
融点１３０〜１３３℃。
尚、この亜鉛塩は、サリチル酸１分子に対し、１分子の水を含んでいる水和物であることが水分測定等の分析結果より判明した。
濾過は、直径９５mmの桐山式ロートを用い、Ｎｏ．５Ｂ濾紙〔日本理化学器械（株）製〕を使用して行った。濾過に要した時間は６分で、液切れも良く、濾過性は非常に良好であった。
【００６４】
実施例３    （例示化合物番号７５の亜鉛塩の結晶の製造）
４−（ｎ−ヘキシルオキシカルボニルアミノ）サリチル酸２８．２ｇを、水酸化ナトリウム４．０ｇを含む水（３００ｇ）溶液に２０℃で徐々に加え、溶解させた。この溶液を、混合キシレン１０ｇおよび硫酸亜鉛の７水和物１４．９ｇを含む水（２００ｇ）溶液に３５℃で１時間を要して滴下した。滴下後、加熱し、一部の水と共に混合キシレンを蒸発留去した。混合物を２５℃に冷却後、析出している無色の固体を濾過、水洗後、乾燥（６０℃）し、４−（ｎ−ヘキシルオキシカルボニルアミノ）サリチル酸３０ｇを得た。融点１３７〜１４０℃。
尚、この亜鉛塩は、サリチル酸１分子に対し、１分子の水を含んでいる水和物であることが水分測定等の分析結果より判明した。
濾過は、直径９５mmの桐山式ロートを用い、Ｎｏ．５Ｂ濾紙〔日本理化学器械（株）製〕を使用して行った。濾過に要した時間は５分で、液切れも良く、濾過性は非常に良好であった。
【００６５】
実施例４    （例示化合物番号７６の亜鉛塩の製造）
４−（ｎ−ヘプチルオキシカルボニルアミノ）サリチル酸２９．６ｇを、水酸化ナトリウム４．０ｇを含む水（３００ｇ）溶液に２０℃で徐々に加え、溶解さた後、さらにｎ−ヘキサン６ｇおよびシクロヘキサン１０ｇを加えた。
この溶液に硫酸亜鉛の７水和物１４．９ｇを含む水（１００ｇ）溶液を５０℃で１時間を要して滴下した。滴下後、２５℃に冷却後、析出している無色の固体を濾過、水洗後、乾燥（６０℃）し、４−（ｎ−ヘプチルオキシカルボニルアミノ）サリチル酸の亜鉛塩３１ｇを得た。融点１４１〜１４４℃。
尚、この亜鉛塩は、サリチル酸１分子に対し、１分子の水を含んでいる水和物であることが水分測定等の分析結果より判明した。
濾過は、直径９５mmの桐山式ロートを用い、Ｎｏ．５Ｂ濾紙〔日本理化学器械（株）製〕を使用して行った。濾過に要した時間は５分で、液切れも良く、濾過性は非常に良好であった。
【００６６】
実施例５    （例示化合物番号７７の亜鉛塩の製造）
４−（ｎ−オクチルオキシカルボニルアミノ）サリチル酸３０．９ｇを水酸化ナトリウム４．０ｇを含む水（４００ｇ）溶液に２５℃で徐々に加え、溶解させた後、さらにトルエン８ｇを加えた。
この溶液に硫酸亜鉛の７水和物１４．９ｇを含む水（２００ｇ）溶液を２５℃で１時間を要して滴下した。滴下後、２５℃で３０分攪拌を行った後、析出している無色の固体を濾過、水洗後、乾燥（６０℃）し、４−（ｎ−オクチルオキシカルボニルアミノ）サリチル酸の亜鉛塩３２ｇを得た。融点１４０〜１４３℃。
尚、この亜鉛塩は、サリチル酸１分子に対し、１分子の水を含んでいる水和物であることが水分測定等の分析結果より判明した。
濾過は、直径９５mmの桐山式ロートを用い、Ｎｏ．５Ｂ濾紙〔日本理化学器械（株）製〕を使用して行った。濾過に要した時間は４分で、液切れも良く、濾過性は非常に良好であった。
【００６７】
実施例６    （例示化合物番号７９の亜鉛塩の製造）
４−（ｎ−ノニルオキシカルボニルアミノ）サリチル酸３２．３ｇを水酸化ナトリウム４．０ｇを含む水（５００ｇ）溶液に２０℃で徐々に加え、溶解させた後、さらにトルエン３０ｇおよびｎ−ヘプタン１０ｇを加えた。
この溶液に硫酸亜鉛の７水和物１４．９ｇを含む水（２００ｇ）溶液を５０℃で１時間を要して滴下した。滴下後、加熱し、一部の水と共にトルエンおよびヘプタンを蒸発留去した。混合物を２５℃に冷却後、析出している無色の固体を濾過、水洗後、乾燥（６０℃）し、４−（ｎ−ノニルオキシカルボニルアミノ）サリチル酸の亜鉛塩３４ｇを得た。融点１４０〜１４３℃。
尚、この亜鉛塩は、サリチル酸１分子に対し、１分子の水を含んでいる水和物であることが水分測定等の分析結果より判明した。
濾過は、直径９５mmの桐山式ロートを用い、Ｎｏ．５Ｂ濾紙〔日本理化学器械（株）製〕を使用して行った。濾過に要した時間は５分で、液切れも良く、濾過性は非常に良好であった。
【００６８】
実施例７    （例示化合物番号８０の亜鉛塩の製造）
実施例５において、４−（ｎ−オクチルオキシカルボニルアミノ）サリチル酸の代わりに、４−（ｎ−デシルオキシカルボニルアミノ）サリチル酸を用いた以外は、実施例５に記載した方法に従い、４−（ｎ−デシルオキシカルボニルアミノ）サリチル酸の亜鉛塩を製造した。融点１４１〜１４４℃。
尚、この亜鉛塩は、サリチル酸１分子に対し、１分子の水を含んでいる水和物であることが水分測定等の分析結果より判明した。
濾過は、直径９５mmの桐山式ロートを用い、Ｎｏ．５Ｂ濾紙〔日本理化学器械（株）製〕を使用して行った。濾過に要した時間は４分で、液切れも良く、濾過性は非常に良好であった。
【００６９】
実施例８    （例示化合物番号８２の亜鉛塩の製造）
実施例５において、４−（ｎ−オクチルオキシカルボニルアミノ）サリチル酸の代わりに、４−（ｎ−ドデシルオキシカルボニルアミノ）サリチル酸を用いた以外は、実施例５に記載した方法に従い、４−（ｎ−ドデシルオキシカルボニルアミノ）サリチル酸の亜鉛塩を製造した。融点１３０〜１３４℃。
尚、この亜鉛塩は、サリチル酸１分子に対し、１分子の水を含んでいる水和物であることが水分測定等の分析結果より判明した。
濾過は、直径９５mmの桐山式ロートを用い、Ｎｏ．５Ｂ濾紙〔日本理化学器械（株）製〕を使用して行った。濾過に要した時間は５分で、液切れも良く、濾過性は非常に良好であった。
【００７０】
実施例９    （例示化合物番号１１５の亜鉛塩の製造）
実施例１において、４−（ｎ−ブチルオキシカルボニルアミノ）サリチル酸の代わりに、４−（ベンジルオキシカルボニルアミノ）サリチル酸を用いた以外は、実施例１に記載した方法に従い、４−（ベンジルオキシカルボニルアミノ）サリチル酸の亜鉛塩を製造した。融点３００℃以上。
濾過は、直径９５mmの桐山式ロートを用い、Ｎｏ．５Ｂ濾紙〔日本理化学器械（株）製〕を使用して行った。濾過に要した時間は５分で、液切れも良く、濾過性は非常に良好であった。
【００７１】
実施例１０  （例示化合物番号１１９の亜鉛塩の製造）
実施例１において、４−（ｎ−ブチルオキシカルボニルアミノ）サリチル酸の代わりに、４−（フェニルオキシカルボニルアミノ）サリチル酸を用いた以外は、実施例１に記載した方法に従い、４−（フェニルオキシカルボニルアミノ）サリチル酸の亜鉛塩を製造した。融点３００℃以上。
濾過は、直径９５mmの桐山式ロートを用い、Ｎｏ．５Ｂ濾紙〔日本理化学器械（株）製〕を使用して行った。濾過に要した時間は４分で、液切れも良く、濾過性は非常に良好であった。
【００７２】
実施例１１  （例示化合物番号１８８の亜鉛塩の製造）
実施例５において、４−（ｎ−オクチルオキシカルボニルアミノ）サリチル酸の代わりに、５−（シクロヘキシルオキシカルボニルアミノ）サリチル酸を用いた以外は、実施例５に記載した方法に従い、５−（シクロヘキシルオキシカルボニルアミノ）サリチル酸の亜鉛塩を製造した。融点３００℃以上。
濾過は、直径９５mmの桐山式ロートを用い、Ｎｏ．５Ｂ濾紙〔日本理化学器械（株）製〕を使用して行った。濾過に要した時間は５分で、液切れも良く、濾過性は非常に良好であった。
【００７３】
実施例１２  （例示化合物番号２０２の亜鉛塩の製造）
実施例５において、４−（ｎ−オクチルオキシカルボニルアミノ）サリチル酸の代わりに、５−〔２’−（４−メトキシフェニル）オキシエチルオキシカルボニルアミノ〕サリチル酸を用いた以外は、実施例５に記載の方法に従い、５−〔２’−（４−メトキシフェニル）オキシエチルオキシカルボニルアミノ〕サリチル酸の亜鉛塩を製造した。融点３００℃以上。
濾過は、直径９５mmの桐山式ロートを用い、Ｎｏ．５Ｂ濾紙〔日本理化学器械（株）製〕を使用して行った。濾過に要した時間は４分で、液切れも良く、濾過性は非常に良好であった。
【００７４】
実施例１３  （例示化合物番号７７のマンガン塩の製造）
実施例５において、硫酸亜鉛の７水和物の代わりに、酢酸マンガンの４水和物を用いた以外は、実施例２に記載の方法に従い、４−（ｎ−オクチルオキシカルボニルアミノ）サリチル酸のマンガン塩を製造した。融点３００℃以上。
濾過は、直径９５mmの桐山式ロートを用い、Ｎｏ．５Ｂ濾紙〔日本理化学器械（株）製〕を使用して行った。濾過に要した時間は５分で、液切れも良く、濾過性は非常に良好であった。
【００７５】
実施例１４  （例示化合物番号１８８のカルシウム塩の製造）
５−（シクロヘキシルオキシカルボニルアミノ）サリチル酸２７．９ｇを水酸化ナトリウム４．０ｇを含む水（４００ｇ）溶液に２５℃で徐々に加え、溶解させた。この溶液を、トルエン２ｇ、ジクロロメタン２ｇおよび塩化カルシウム５．６ｇを含む水（２００ｇ）溶液に２５℃で２０分を要して滴下した。滴下後、２５℃で３０分攪拌を行った後、析出している無色の固体を濾過、水洗後、乾燥（６０℃）し、５−（シクロヘキシルオキシカルボニルアミノ）サリチル酸のカルシウム塩２８ｇを得た。融点３００℃以上。
濾過は、直径９５mmの桐山式ロートを用い、Ｎｏ．５Ｂ濾紙〔日本理化学器械（株）製〕を使用して行った。濾過に要した時間は５分で、液切れも良く、濾過性は非常に良好であった。
【００７６】
比較例１    （例示化合物番号７７の亜鉛塩の製造）
４−（ｎ−オクチルオキシカルボニルアミノ）サリチル酸３０．９ｇを水酸化ナトリウム４．０ｇを含む水（４００ｇ）溶液に２５℃で徐々に加え、溶解させた。この溶液に硫酸亜鉛の７水和物１４．９ｇを含む水（２００ｇ）溶液に２５℃で１時間を要して滴下した。滴下後、２５℃で３０分攪拌を行った後、析出している無色の固体を濾過、水洗後、乾燥（５０℃）し、４−（ｎ−オクチルオキシカルボニルアミノ）サリチル酸の亜鉛塩３２ｇを得た。
融点１４０〜１４３℃。
尚、この亜鉛塩は、サリチル酸１分子に対し、１分子の水を含んでいる水和物であることが水分測定等の分析結果より判明した。
濾過は、直径９５mmの桐山式ロートを用い、Ｎｏ．５Ｂ濾紙〔日本理化学器械（株）製〕を使用して行った。濾過に要した時間は３０分と長時間を要し、作業効率は悪かった。
【００７７】
比較例２    （例示化合物番号７７の亜鉛塩の製造）
４−（ｎ−オクチルオキシカルボニルアミノ）サリチル酸３０．９ｇを水酸化ナトリウム４．０ｇを含む水（４００ｇ）溶液に２５℃で徐々に加え、溶解させた後、さらにメタノール８ｇを加えた。
この溶液に硫酸亜鉛の７水和物１４．９ｇを含む水（２００ｇ）溶液に２５℃で１時間を要して滴下した。滴下後、２５℃で３０分攪拌を行った後、析出している無色の固体を濾過、水洗後、乾燥（５０℃）し、４−（ｎ−オクチルオキシカルボニルアミノ）サリチル酸の亜鉛塩３２ｇを得た。融点１４０〜１４３℃。
尚、この亜鉛塩は、サリチル酸１分子に対し、１分子の水を含んでいる水和物であることが水分測定等の分析結果より判明した。
濾過は、直径９５mmの桐山式ロートを用い、Ｎｏ．５Ｂ濾紙〔日本理化学器械（株）製〕を使用して行った。濾過に要した時間は３０分と長時間を要し、作業効率は悪かった。
【００７８】
比較例３    （例示化合物番号１８８のカルシウム塩の製造）
５−（シクロヘキシルオキシカルボニルアミノ）サリチル酸２７．９ｇを水酸化ナトリウム４．０ｇを含む水（４００ｇ）溶液に２５℃で徐々に加え、溶解させた。この溶液を塩化カルシウム５．６ｇを含む水（２００ｇ）溶液に２５℃で２０分を要して滴下した。滴下後、２５℃で３０分攪拌を行った後、析出している無色の固体を濾過、水洗後、乾燥し、５−（シクロヘキシルオキシカルボニルアミノ）サリチル酸のカルシウム塩２８ｇを得た。融点３００℃以上。
濾過は、直径９５mmの桐山式ロートを用い、Ｎｏ．５Ｂ濾紙〔日本理化学器械（株）製〕を使用して行った。濾過に要した時間は３５分と長時間を要し、作業効率は悪かった。
【００７９】
【発明の効果】
本発明により、特定構造のサリチル酸誘導体の多価金属塩を効率良く製造する方法を提供することが可能になった。